(57)【要約】      （修正有）【課題】ツインピンと呼ばれる2本出し形状のダウエルピンを埋入している復位分割式模型や、シングルピンを2本埋入している復位分割式模型を容易に載置することのできる歯科技工用ポストスタンドを提供する。【解決手段】ポストスタンド１の上面にはポスト植立用の穴２と、ダウエルピン用の長穴３が複数個配置されている。ダウエルピン用の長穴３はポストスタンド１の円筒軸を中心として90度ずつの放射状に配置されているが、これ以外のいかなる配置でも構わない。また、ダウエルピン用の長穴３は直線状に描画されているが、曲線であっても構わない。このダウエルピン用の長穴３は、深さが8mm以上あればよく、非貫通であっても貫通であってもかまわない。【選択図】図１
2008295908.tif 000002
【特許請求の範囲】
【請求項１】
歯科技工用重合器内で歯科修復物を安定して配置させるためのポスト植立用の穴を有する歯科技工用ポストスタンドであって、
ポスト植立用の穴を有する面にダウエルピン用の帯状のスリットを設けることを特徴とする歯科技工用ポストスタンド。
【請求項２】
請求項１記載のスリットが貫通孔であることを特徴とする歯科技工用ポストスタンド。
【発明の詳細な説明】
【技術分野】
【０００１】
本発明は、歯科技工用ポストスタンドに関するものである。具体的には、歯科技工用重合器を用いて歯科修復物を作製するために、修復物を安定して前記歯科技工用重合器の重合室内に配置させるのに使用するポストスタンドに関する。
【背景技術】
【０００２】
歯科修復物を製作するために歯科技工用重合器を用いて歯科修復物を重合させる場合には、歯科修復物を安定して前記歯科技工用重合器の重合室内に配置させるために、歯科修復物を保持するための補助器具を用いることが一般的である。
松風社製歯科技工用光重合器「アクセルキュア」においては、直径60mm高さ22mmの樹脂製円柱の一方の平面上に非貫通の穴を複数箇所空けたポストスタンドと、前記非貫通の穴に差し込むことが可能な金属製丸棒のポストが用意されており、前記ポストを任意の前記非貫通の穴に差し込み、前記ポスト先端に歯科修復物を被せることで、歯科修復物を前記歯科技工用重合器の重合室内に配置する方式を採用している。
この方式では、金属冠上に歯冠修復材料を築盛する場合には対応できるが、インレーのように復位分割式模型上に築盛する場合は、復位分割式模型のダウエルピンをポストスタンドの非貫通の穴に直接差し込むことで対応させる必要がある。シングルピンと呼ばれる1本出し形状のダウエルピンを1本のみ埋入している場合はポストスタンドの非貫通の穴に容易に差し込むことができる。
しかし、ツインピンと呼ばれる2本出し形状のダウエルピンを復位分割式模型に埋入している場合や、復位分割式模型にシングルピンを2本埋入している場合には、ポストスタンドの2つの非貫通穴にそれぞれのピンを差し込む必要がある。このときには、ポストスタンドに複数ある非貫通穴から、復位分割式模型の２つのピンの間隔と一致するポストスタンドの非貫通穴を探す必要があり、場合によっては適した穴が見つからない場合もあった。
また、前述のシングルピンと呼ばれる1本出し形状のダウエルピンを1本のみ埋入している復位分割式模型の場合でも、前記模型から突き出したダウエルピンの長さが、ポストスタンドの非貫通穴の深さよりも長い場合、前記模型の下面が前記ポストスタンドの上面に接触せず、ダウエルピンを軸として回転してしまい、安定して載置できないという問題があった。
【非特許文献１】松風社製アクセルキュアの取扱説明書
【発明の開示】
【発明が解決しようとする課題】
【０００３】
これらの状況を鑑み、本発明において解決しようとする課題は以下の通りである。
本発明が解決しようとする一つの課題は、ツインピンと呼ばれる2本出し形状のダウエルピンを埋入している復位分割式模型や、シングルピンを2本埋入している復位分割式模型を容易に載置することのできる歯科技工用ポストスタンドを提供することにある。
【０００４】
本発明が解決しようとする更なる他の課題は、復位分割式模型に埋入したダウエルピンの前記模型からの突き出し長さが、ポストスタンドのポスト植立用の非貫通穴の深さよりも長い場合でも復位分割式模型を安定して載置することができる歯科技工用ポストスタンドを提供することにある。
【課題を解決するための手段】
【０００５】
本発明は、歯科技工用重合器内で歯科修復物を安定して配置させるためのポスト植立用の穴を有する歯科技工用ポストスタンドであって、ポスト植立用の穴を有する面にダウエルピン用の帯状のスリットを設けることを特徴とする歯科技工用ポストスタンドである。
本発明は、スリットが貫通孔であることを特徴とする歯科技工用ポストスタンドである。
本発明は、スリットの深さが、8mm以上であることを特徴とする歯科技工用ポストスタンドである。
本発明のスリットは、直線状および／または曲線状の長穴であることは好ましい。
【発明の効果】
【０００６】
本発明によれば、ポストスタンドにポスト植立用の穴以外にダウエルピン用の帯状のスリットを設けているので、ツインピンと呼ばれる2本出し形状のダウエルピンを埋入している場合や、シングルピンを2本埋入している復位分割式模型を載置する場合に、前記スリットにそれぞれのピンを差し込むことで、ピン同士の距離がいかなる場合でも容易に差し込むことができる。
【０００７】
また、ポストスタンドに設けられた長穴の深さが、8mm以上の非貫通穴および／または貫通穴であるので、復位分割式模型に埋入したダウエルピンの前記模型からの突き出し長さが前記長穴の深さよりも短い場合は、前記復位分割式模型を前記ポストスタンドに安定して載置することができる。
【発明を実施するための最良の形態】
【０００８】
図面を参照して詳細に述べると、図１は本発明のポストスタンドの一実施例を示している。図１において、ポストスタンド１の上面にはポスト植立用の穴２と、ダウエルピン用の長穴３が複数個配置されている。図1において、ダウエルピン用の長穴３はポストスタンド１の円筒軸を中心として90度ずつの放射状に配置されているが、これ以外のいかなる配置でも構わない。また、図１において、ダウエルピン用の長穴３は直線状に描画されているが、曲線であっても構わない。このダウエルピン用の長穴３は、深さが8mm以上あればよく、非貫通であっても貫通であってもかまわない。一般的にダウエルピンの長さは10mm〜18mmのものが多いので、ダウエルピン用の長穴の深さは20mm以上が好ましい。
【０００９】
図２はツインピンと呼ばれる2本出し形状のダウエルピンを埋入している場合の復位分割式模型をポストスタンドに載置する場合の操作方法説明図である。図２に示すように、任意のダウエルピン用の長穴に差し込むことで、2本出し形状のダウエルピンを埋入した復位分割式模型４を容易にポストスタンドに載置することができる。
図３はシングルピンを2本埋入している復位分割式模型をポストスタンドに載置する場合の操作方法説明図である。
【００１０】
図３に示すように、異なる2つのダウエルピン用の長穴に差し込むことで、ピン間の距離がいかなる場合でも、シングルピンを2本埋入している復位分割式模型５を容易にポストスタンドに載置することができる。
【産業上の利用可能性】
【００１１】
歯科技工用重合器内で歯科修復物を安定して配置させるための歯科技工用ポストスタンドとして利用される。
【図面の簡単な説明】
【００１２】
【図１】本発明のポストスタンドの例の概念図
【図２】ツインピンと呼ばれる2本出し形状のダウエルピンを埋入している場合の復位分割式模型をポストスタンドに載置する場合の概念図
【図３】シングルピンを2本埋入している復位分割式模型をポストスタンドに載置する場合の概念図
【符号の説明】
【００１３】
１  ポストスタンド
２  ポスト植立用の穴
３  ダウエルピン用の長穴
４  2本出し形状のダウエルピンを埋入した復位分割式模型
５  シングルピンを2本埋入している復位分割式模型
【図１】
2008295908.tif 000003
【図２】
2008295908.tif 000004
【図３】
2008295908.tif 000005